(57)【要約】【課題】ヘッドホンのユーザが、そのヘッドホンからの音漏れを確認することができるようにする。【解決手段】楽曲再生装置１０は、空間特性を測定するための測定信号を生成する信号生成部３１と、測定信号に対応する音を音出力部から出力して得られる空間特性を取得する特性取得部３２と、特性取得部３２が取得した空間特性に基づいて処理した楽曲を再生する再生部４０とを有し、特性取得部３２は、前記音出力部２１Ｌ、２１Ｒをユーザが装着している状態で測定信号に対応する音を前記音出力部２１Ｌ、２１Ｒから出力して周囲の空間を介して得られる空間特性である第１特性を取得し、再生部４０は、第１特性に基づいて処理した楽曲を再生する。【選択図】図２
2017175442.tif 000002
【特許請求の範囲】
【請求項１】
空間特性を測定するための測定信号を生成する信号生成部と、前記測定信号に対応する音を音出力部から出力して得られる空間特性を取得する特性取得部と、前記特性取得部が取得した空間特性に基づいて処理した楽曲を再生する再生部とを有し、
前記特性取得部は、前記音出力部をユーザが装着している状態で前記測定信号に対応する音を前記音出力部から出力して周囲の空間を介して得られる空間特性である第１特性を取得し、
前記再生部は、前記第１特性に基づいて処理した楽曲を再生する楽曲再生装置。
【請求項２】
前記音出力部はユーザが装着するヘッドホンに備えられており、
前記ヘッドホンは、前記音出力部から出力された音を、前記ヘッドホンの外部の空間を介して取得するマイクロホンを備えており、
前記特性取得部は、前記ヘッドホンを前記ユーザが装着している状態で、前記マイクロホンが取得した音によって前記第１特性を取得する請求項１に記載の楽曲再生装置。
【請求項３】
前記再生部は、再生すべき楽曲データと前記第１特性との畳込み処理を行う
請求項１または請求項２に記載の楽曲再生装置。
【請求項４】
前記ユーザの耳について測定した結果に基づいて外耳道補正特性を計算する逆フィルタ計算部をさらに含み、前記再生部は、前記第１特性との畳込み処理を行った後、さらに、前記外耳道補正特性に基づいて畳込み処理を行う請求項３に記載の楽曲再生装置。
【請求項５】
自装置から離れた位置までの距離を示す距離データを入力する距離入力部と、
前記距離入力部によって入力された距離データに応じて、前記楽曲のレベルを減衰させる減衰部とをさらに含み、
前記再生部は、前記減衰部によってレベルを変化させた楽曲を再生する請求項１から請求項４のいずれか１つに記載の楽曲再生装置。
【請求項６】
周囲音を取得する周囲音取得部と、
前記再生部による再生レベルを変更する指示に応じて、前記周囲音取得部が取得した周囲音のレベルを変化させるレベル制御部とをさらに含み、
前記再生部は、前記第１特性に基づいて処理した楽曲に、前記レベル制御部によってレベルを変化させた周囲音を加えた音を再生する請求項１から請求項５のいずれか１つに記載の楽曲再生装置。
【請求項７】
空間特性を測定するための測定信号を生成する工程と、
音出力部をユーザが装着している状態で前記測定信号に対応する音を前記音出力部から出力して周囲の空間を介して得られる空間特性である第１特性を取得する工程と、
前記第１特性に基づいて処理した楽曲を再生する再生部工程と、
を有する楽曲再生方法。
【請求項８】
コンピュータを、
空間特性を測定するための測定信号を生成する信号生成部、
音出力部をユーザが装着している状態で前記測定信号に対応する音を前記音出力部から出力して周囲の空間を介して得られる空間特性である第１特性を取得する特性取得部、
前記第１特性に基づいて処理した楽曲を再生する再生部、
として機能させるための楽曲再生プログラム。
【発明の詳細な説明】
【技術分野】
【０００１】
本発明は、楽曲再生装置、楽曲再生方法および楽曲再生プログラムに関する。
【背景技術】
【０００２】
電車内におけるヘッドホンやイヤホンの音漏れが問題となっている。特許文献１では、ユーザに音漏れ具合を各周波数領域で算出し音漏れしないように自動で音量調整を行う。また、特許文献２では、ユーザがイヤホンまたはヘッドホンを装着していることを検出し、装着していない時は再生を停止するような制御を行う。特許文献３では、マイクロホン付きのイヤホンで周囲の騒音を収音して減衰量を算出し、音量を調整することによって音漏れを防止する。
【先行技術文献】
【特許文献】
【０００３】
【特許文献１】特開２００７−８８５２１号公報
【特許文献２】特開２０１４−００３５０１号公報
【特許文献３】特開２０１２−２４４５２２号公報
【発明の概要】
【発明が解決しようとする課題】
【０００４】
ヘッドホンからの音漏れを低減するためには、ユーザが音漏れ具合を耳で聴いて確認して音量を調節することが望ましい。しかしながら、ヘッドホンを装着しているユーザは、そのヘッドホンからの音漏れを確認することはできず、改善の余地がある。
【０００５】
本発明は、上記に鑑みてなされたものであって、その目的は、ヘッドホンのユーザが、そのヘッドホンからの音漏れを確認することができる楽曲再生装置、楽曲再生方法および楽曲再生プログラムを提供することである。
【課題を解決するための手段】
【０００６】
上述した課題を解決し、目的を達成するために、本発明のある形態による楽曲再生装置は、空間特性を測定するための測定信号を生成する信号生成部と、前記測定信号に対応する音を音出力部から出力して得られる空間特性を取得する特性取得部と、前記特性取得部が取得した空間特性に基づいて処理した楽曲を再生する再生部とを有し、前記特性取得部は、前記音出力部をユーザが装着している状態で前記測定信号に対応する音を前記音出力部から出力して周囲の空間を介して得られる空間特性である第１特性を取得し、前記再生部は、前記第１特性に基づいて処理した楽曲を再生する。
【０００７】
また、本発明のある形態による楽曲再生方法は、空間特性を測定するための測定信号を生成する工程と、音出力部をユーザが装着している状態で前記測定信号に対応する音を前記音出力部から出力して周囲の空間を介して得られる空間特性である第１特性を取得する工程と、前記第１特性に基づいて処理した楽曲を再生する再生部工程と、を有する。
【０００８】
また、本発明のある形態による楽曲再生プログラムは、コンピュータを、空間特性を測定するための測定信号を生成する信号生成部、音出力部をユーザが装着している状態で前記測定信号に対応する音を前記音出力部から出力して周囲の空間を介して得られる空間特性である第１特性を取得する特性取得部、前記第１特性に基づいて処理した楽曲を再生する再生部、として機能させるための楽曲再生プログラムである。
【発明の効果】
【０００９】
本発明によれば、ユーザは、ヘッドホンを装着した状態で、そのヘッドホンを装着した状態での音漏れを確認できるという効果を奏する。
【図面の簡単な説明】
【００１０】
【図１】図１は、第１実施形態にかかる楽曲再生装置の構成例を示す図である。
【図２】図２は、第１実施形態にかかる楽曲再生装置の信号処理部の構成例を示す図である。
【図３】図３は、ヘッドホンの例を示す図である。
【図４】図４は、図２中の信号処理部の機能の概略を示す図である。
【図５】図５は、楽曲再生装置全体の処理の例を示すフローチャートである。
【図６】図６は、楽曲再生装置の動作モードが測定モードである場合の処理の例を示すフローチャートである。
【図７】図７は、楽曲再生装置の校正を行う場合の処理の例を示すフローチャートである。
【図８】図８は、楽曲再生装置の動作モードが測定モードである場合の処理の例を示すフローチャートである。
【図９】図９は、楽曲再生装置の動作モードが音漏れモニタモードである場合の処理の例を示すフローチャートである。
【図１０】図１０は、第２実施形態による楽曲再生装置の構成例を示す図である。
【図１１】図１１は、図１０中の信号処理部の機能の概略を示す図である。
【図１２】図１２は、図１０および図１１に示す楽曲再生装置の動作を示すフローチャートである。
【図１３】図１３は、第３実施形態による楽曲再生装置の構成例を示す図である。
【図１４】図１４は、図１３中の信号処理部の機能の概略を示す図である。
【図１５】図１５は、図１３および図１４に示す楽曲再生装置の動作を示すフローチャートである。
【図１６】図１６は、第４実施形態による楽曲再生装置の構成例を示す図である。
【図１７】図１７は、図１６中の信号処理部の機能の概略を示す図である。
【図１８】図１８は、図１６および図１７に示す楽曲再生装置の動作を示すフローチャートである。
【図１９】図１９は、第５実施形態による楽曲再生装置の構成例を示す図である。
【図２０】図２０は、図１９中の信号処理部の機能の概略を示す図である。
【図２１】図２１は、図１９および図２０に示す楽曲再生装置の動作を示すフローチャートである。
【図２２】図２２は、楽曲再生装置の変形例１を示す図である。
【図２３】図２３は、楽曲再生装置の変形例３を示す図である。
【発明を実施するための形態】
【００１１】
以下に、本発明の実施形態を図面に基づいて詳細に説明する。以下の各実施形態の説明において、他の実施形態と同一又は同等の構成部分については同一の符号を付し、その説明を簡略又は省略する。なお、各実施形態により本発明が限定されるものではない。また、各実施形態の構成要素には、当業者が置換可能かつ容易なもの、あるいは実質的に同一のものが含まれる。また、この実施形態に記載された複数の変形例は、当業者自明の範囲内にて任意に組み合わせが可能である。
【００１２】
（楽曲再生装置の構成）
図１は、第１実施形態にかかる楽曲再生装置１０の構成例を示す図である。図１に示すように、楽曲再生装置１０は、表示部１１と、入力部１２と、制御部１３と、記憶部１４と、信号処理部１５と、増幅部１６Ｌ、１６Ｒ、１７Ｌおよび１７Ｒと、バス１８とを有する。
【００１３】
表示部１１は、楽曲再生装置１０の動作状態などの各種情報を表示する。入力部１２は、ユーザによって操作される部分であり、ユーザが、動作モードを設定する設定部として機能する。入力部１２は、ユーザによる命令などを受け付ける。ユーザが入力した命令などは、制御部１３に送られる。楽曲再生装置１０は、表示部１１と入力部１２とを一体化したタッチパネルを有していてもよい。
【００１４】
制御部１３は、楽曲再生装置１０の各部を制御する。記憶部１４は、再生の対象となる楽曲データを記憶する。また、記憶部１４は、制御部１３が楽曲再生装置の各部を制御する際に用いる各種データを記憶する。
【００１５】
信号処理部１５は、楽曲データについて、デジタルデータからアナログ信号へ変換する。また、信号処理部１５は、ヘッドホン２０に設けられたマイクロホン２２Ｌおよび２２Ｒから入力される収音信号について、アナログ信号からデジタルデータへ変換する。信号処理部１５は、測定によって取得された特性と再生すべき楽曲データとの畳込み処理を行う。なお、信号処理部１５は、そのすべてまたは一部をＤＳＰ（Ｄｉｇｉｔａｌ  Ｓｉｇｎａｌ  Ｐｒｏｃｅｓｓｏｒ）によって実現できる。
【００１６】
増幅部１６Ｌおよび１６Ｒは、信号処理部１５から出力される楽曲信号を増幅し、ヘッドホン２０へ出力する。増幅部１７Ｌおよび１７Ｒは、マイクロホン２２Ｌおよび２２Ｒから入力される収音信号を増幅する。
【００１７】
楽曲再生装置１０は、ヘッドホン２０に接続されている。ヘッドホン２０は、左チャンネル用の音出力部２１Ｌと、右チャンネル用の音出力部２１Ｒと、左チャンネル用のマイクロホン２２Ｌと、右チャンネル用のマイクロホン２２Ｒと、スイッチ２３とを有する。楽曲再生装置１０は、ヘッドホン２０の音出力部２１Ｌおよび２１Ｒによって音楽を出力する。また、楽曲再生装置１０は、ヘッドホン２０に備えたマイクロホン２２Ｌおよび２２Ｒによって収音する。
【００１８】
音出力部２１Ｌ、２１Ｒは、ユーザが楽曲を聴くために、ユーザの左耳、右耳に対応して設けられる。音出力部２１Ｌ、２１Ｒは、対応するユーザの左耳、右耳に、音を出力する。音出力部２１Ｌ、２１Ｒは、入力される電気信号を音に変換するスピーカユニットである。音出力部２１Ｌは、楽曲データの左チャンネルデータがＤ／Ａ変換され増幅されることによって得られた信号を出力する。音出力部２１Ｒは、楽曲データの右チャンネルデータがＤ／Ａ変換され増幅されることによって得られた信号を出力する。
【００１９】
マイクロホン２２Ｌ、２２Ｒは、入力される音を電気信号に変換する収音部である。マイクロホン２２Ｌ、２２Ｒは、ユーザの左耳、右耳に対応して設けられる。マイクロホン２２Ｌ、２２Ｒは、対応するユーザの左耳、右耳の周囲の空間について収音する。マイクロホン２２Ｌ、２２Ｒは、音出力部２１Ｌ、２１Ｒから出力される音を、ユーザの左耳、右耳の周囲の空間すなわちヘッドホン２０の外部の空間を介して取得する。
【００２０】
（信号処理部）
図２は、楽曲再生装置１０の信号処理部１５の構成例を示す図である。図２に示すように、本例の信号処理部１５は、測定部３０と、再生部４０と、スイッチ４５と、特性記憶部５０と、Ｄ／Ａ変換部６１Ｌ、６１Ｒと、Ａ／Ｄ変換部７１Ｌ、７１Ｒと、モード記憶部８０とを有する。制御部１３は、バス１８によって、測定部３０、再生部４０、特性記憶部５０、モード記憶部８０、記憶部１４と接続されており、各部相互間のデータの授受を実現する。
【００２１】
（モード記憶部と動作モード）
モード記憶部８０は、モード情報を記憶する。モード情報は、楽曲再生装置１０の現在の動作モードを示す情報である。例えば、ユーザが入力部１２によって動作モードを設定すると、モード記憶部８０は動作モードに対応するモード情報を記憶する。
【００２２】
本実施形態による楽曲再生装置の動作には、測定モードと、校正モードと、音漏れモニタモードと、通常再生モードとがある。本実施形態では、ユーザの操作によって動作モードを切替える。例えば、ユーザが、表示部１１の表示内容を参照しながら、入力部１２の操作を行うことにより、動作モードを切替えるようにすればよい。また、動作モードを切替えるためのスイッチを用意しておき、そのスイッチが操作されたことを検出した場合に動作モードを切替えてもよい。例えば、スイッチ２３が、動作モードを切替える機能を有していてもよい。
【００２３】
測定モードは、第１特性を測定するモードである。第１特性は、ヘッドホン２０をユーザが装着している状態で測定信号に対応する音を音出力部２１Ｌ、２１Ｒから出力して得られる空間特性である（以下、特性Ａ１と呼ぶ）。特性Ａ１は、具体的には、音出力部２１Ｌ、２１Ｒから出力した音を、ヘッドホン２０の周囲の空間を介してマイクロホン２２Ｌ、２２Ｒで取得することによって得られる空間特性である。特性Ａ１は、ユーザの頭部を含めた空間特性であるため、ユーザごとにユニークな特性である。このため、楽曲再生装置１０を家族など複数人で共用する場合、ユーザ各人の特性Ａ１を記憶しておき、記憶した特性Ａ１を音漏れモニタモードで読み出して用いてもよい。
【００２４】
音漏れモニタモードは、ユーザがヘッドホン２０を装着しているときに漏れる音を再生する動作モードである。音漏れモニタモードでは、ユーザがヘッドホン２０を装着している状態で、ユーザがヘッドホン２０を装着しているときに漏れる音を再生する。
【００２５】
通常再生モードは、楽曲を再生し続ける動作モードである。
【００２６】
（測定部）
測定部３０は、特性Ａ１を測定するための機能を有する。測定部３０は、信号生成部３１と、特性取得部３２とを有する。測定部３０は、モード記憶部８０に記憶されているモード情報による動作モードが測定モードである場合、信号生成部３１および特性取得部３２によって特性Ａ１を測定する。
【００２７】
信号生成部３１は、測定信号を生成するための測定データを出力する。測定信号は、特性Ａ１を測定するための信号である。測定信号は、可聴域の周波数成分を含む信号である。測定信号は、例えば、インパルス信号、ＴＳＰ（Time  Stretched  Pulse）等のスイープ信号、ホワイトノイズ信号またはピンクノイズ信号等である。信号生成部３１は、左チャンネル用および右チャンネル用に同じ測定データを出力してもよいし、異なる測定データを出力してもよい。信号生成部３１が出力する測定データは、Ｄ／Ａ変換部６１Ｌ、６１Ｒによってアナログ信号である測定信号に変換された後、増幅部１６Ｌ、１６Ｒでそれぞれ増幅される。
【００２８】
特性取得部３２は、マイクロホン２２Ｌ、２２Ｒで収音された後、Ａ／Ｄ変換部７１Ｌ、７１Ｒでデジタルデータに変換された特性Ａ１を入力とする。測定部３０によって取得された特性Ａ１は特性記憶部５０に記憶される。
【００２９】
なお、特性Ａ１については、騒音などがない、できるだけ静かな場所で測定することが望ましい。例えば、楽曲再生装置１０の入手直後（購入直後など）に、自宅などの、騒音などがない、静かな場所で特性Ａ１を測定することが望ましい。
【００３０】
（再生部）
再生部４０は、モード制御部４１と、スイッチ４２ａ、４２ｂと、再生処理部４３ａ、４３ｂと、畳込み処理部４４ａ、４４ｂとを有する。モード制御部４１は、モード記憶部８０に記憶されているモード情報に応じて、スイッチ４２ａおよび４２ｂを制御する。
【００３１】
スイッチ４２ａは、記憶部１４に記憶されている楽曲データのうち、左チャンネルＬのデータを入力とする。スイッチ４２ａは、入力されるデータを、再生処理部４３ａまたは畳込み処理部４４ａへ出力する。
【００３２】
スイッチ４２ｂは、記憶部１４に記憶されている楽曲データのうち、右チャンネルＲのデータを入力とする。スイッチ４２ｂは、入力されるデータを、再生処理部４３ｂまたは畳込み処理部４４ｂへ出力する。
【００３３】
モード記憶部８０に記憶されているモード情報による動作モードが音漏れモニタモードである場合、モード制御部４１は、スイッチ４２ａおよび４２ｂを制御し、記憶部１４に記憶されている楽曲データのうち、左チャンネルＬのデータを畳込み処理部４４ａに入力し、右チャンネルＲのデータを畳込み処理部４４ｂに入力する。
【００３４】
モード記憶部８０に記憶されているモード情報による動作モードが通常再生モードである場合、モード制御部４１は、記憶部１４に記憶されている楽曲データのうち、左チャンネルＬのデータを再生処理部４３ａに入力し、右チャンネルＲのデータを再生処理部４３ｂに入力する。
【００３５】
再生処理部４３ａ及び４３ｂは、再生の対象である楽曲データを一時記憶するバッファを備えている。再生処理部４３ａ、４３ｂは、バッファに記憶した楽曲データを、スイッチ４５を介してＤ／Ａ変換部６１Ｌ、６１Ｒへ入力する。
【００３６】
畳込み処理部４４ａおよび４４ｂは、楽曲データを一時記憶するバッファを備えている。畳込み処理部４４ａおよび４４ｂは、バッファに記憶した楽曲データと特性Ａ１との畳込み処理を行う。畳込み処理部４４ａ、４４ｂは、畳込み処理を行った楽曲データを、スイッチ４５を介してＤ／Ａ変換部６１Ｌ、６１Ｒへ入力する。
【００３７】
スイッチ４５は、再生処理部４３ａおよび４３ｂ、または、畳込み処理部４４ａおよび４４ｂから入力される楽曲データを、Ｄ／Ａ変換部６１Ｌおよび６１Ｒへ出力する。Ｄ／Ａ変換部６１Ｌによる変換後のアナログ信号は、増幅部１６Ｌに入力される。Ｄ／Ａ変換部６１Ｒによる変換後のアナログ信号は、増幅部１６Ｒに入力される。
【００３８】
（ヘッドホン）
図３は、ヘッドホン２０の例を示す図である。図３はヘッドホン２０を模式的に示す。図３に示すように、ヘッドホン２０は、左チャンネル用の音出力部２１Ｌと、右チャンネル用の音出力部２１Ｒと、左チャンネル用のマイクロホン２２Ｌと、右チャンネル用のマイクロホン２２Ｒと、スイッチ２３と、ヘッドバンド部２４とを有する。
【００３９】
ヘッドバンド部２４は、ユーザが頭部に装着する部分である。ヘッドバンド部２４は、ユーザの頭部に適切に装着するために長さが調整できるようになっている。
【００４０】
左チャンネル用の音出力部２１Ｌおよびマイクロホン２２Ｌはヘッドバンド部２４の左端部２４Ｌに、右チャンネル用の音出力部２１Ｒおよびマイクロホン２２Ｒはヘッドバンド部２４の右端部２４Ｒに、それぞれ設けられている。ヘッドホン２０の音出力部２１Ｌ、２１Ｒはユーザが装着したときに耳介の近くに位置する。マイクロホン２２Ｌ、２２Ｒについても、ユーザが装着したときに耳介の近くに位置することが望ましい。
【００４１】
スイッチ２３は、ユーザによって操作される。ユーザがスイッチ２３を操作すると、楽曲再生装置内のスイッチ４５から出力される信号が切り替わる。
【００４２】
なお、図３は、有線すなわちケーブルを介して楽曲再生装置１０と信号の授受を行うヘッドホンについて説明したが、無線により楽曲再生装置１０と信号の授受を行うヘッドホンであってもよい。
【００４３】
（信号処理部の機能の概略）
図４は、図２中の信号処理部１５の機能の概略を示す図である。図４に示すように、信号処理部１５は、スイッチ４５を有する。スイッチ４５は、端子１Ｌおよび１Ｒ、端子２Ｌおよび２Ｒ、端子３Ｌおよび３Ｒの３系統の信号を切替え信号に基づいて切替える。切替え信号は、例えば、制御部１３から出力される。ヘッドホン２０側に設けたスイッチ２３が切替え信号を出力する機能を有していてもよい。
【００４４】
スイッチ４５の出力側は、増幅部１６に接続されている。増幅部１６は、ヘッドホンアンプとして機能する。増幅部１６は、Ｌチャンネル用の増幅部１６Ｌと、Ｒチャンネル用の増幅部１６Ｒとを備える。スイッチ４５は、測定部３０の信号生成部３１が生成する測定信号を出力する場合、端子１Ｌおよび１Ｒを、増幅部１６に接続する。スイッチ４５は、音漏れモニタモードでオーディオ信号を再生する場合、端子２Ｌおよび２Ｒを、増幅部１６に接続する。スイッチ４５は、通常再生モードでオーディオ信号を再生する場合、端子３Ｌおよび３Ｒを、増幅部１６に接続する。
【００４５】
増幅部１６は、音量信号に応じて増幅率を変化させることができる。例えば、ユーザが入力部１２を操作することによって、制御部１３が音量信号を出力する。ヘッドホン２０側に設けたスイッチ２３がロータリースイッチとして構成され、音量を設定する信号を出力する機能を有していてもよい。なお、図４では、増幅部１７Ｌおよび増幅部１７Ｒを総称して「増幅部１７」と記している。以降の説明においても「増幅部１７」と記すことがある。
【００４６】
（装置全体の処理）
図５は、楽曲再生装置１０全体の処理の例を示すフローチャートである。
【００４７】
ステップＳ１１では、楽曲再生装置１０において特性Ａ１を取得済みであるか否かを判定する。ステップＳ１１において、特性Ａ１を取得済みでないと判定された場合（ステップＳ１１においてＮｏ）、ステップＳ１２に進む。ステップＳ１２では、特性Ａ１を測定する。ステップＳ１３では、ステップＳ１２で測定された特性Ａ１を記憶する。ステップＳ１４では、ステップＳ１３で記憶された特性Ａ１に基づいて処理した楽曲を再生する。
【００４８】
なお、ステップＳ１１において、特性Ａ１を取得済みであると判定された場合（ステップＳ１１においてＹｅｓ）、ステップＳ１４に進む。
【００４９】
（測定モード）
測定モードにおいて、測定部３０はユーザがヘッドホンを頭部に装着している状態の空間特性を取得し、特性記憶部５０に記憶しておく。具体的には、ユーザがヘッドホンを装着した状態で、ヘッドホンアンプである増幅部１６の増幅率αｈｐ、マイクロホンアンプである増幅部１７の増幅率αｍｉｃに設定し、スイッチ４５を端子１Ｌおよび１Ｒに接続してインパルスをヘッドホン２０の音出力部２１Ｌ、２１Ｒに出力し、応答を取得する。
【００５０】
次に、動作モードが測定モードである場合における楽曲再生装置１０の動作について説明する。図６は、楽曲再生装置１０の動作モードが測定モードである場合の処理の例を示すフローチャートである。図６は、図５のステップＳ１２の特性Ａ１を測定する処理の例を示すフローチャートである。
【００５１】
図６において、ステップＳ１２１では、ユーザから測定開始要求があるか否かを判定する。ステップＳ１２１において、ユーザがヘッドホン２０を装着している状態で、測定開始の要求があると（ステップＳ１２１においてＹｅｓ）、ステップＳ１２２に進む。ステップＳ１２２では、特性Ａ１について、測定部３０へ測定開始要求を送る。ステップＳ１２３では、測定部３０が測定信号を出力し、音出力部２１Ｌおよび２１Ｒは測定信号を音として出力する。
【００５２】
ステップＳ１２４では、音出力部２１Ｌおよび２１Ｒから出力された音を周囲の空間を介してマイクロホン２２Ｌ、２２Ｒに入力し（収音し）、特性Ａ１を取得する。ステップＳ１２１では、ユーザから測定開始の指示がない場合（ステップＳ１２１においてＮｏ）、ステップＳ１２１に戻る。
【００５３】
（校正）
楽曲再生装置１０は、周囲音が同じ大きさに聴こえるように校正をしておくことが望ましい。校正は、例えば、楽曲再生装置１０の製造時や出荷前に行う。
【００５４】
校正は、例えば、以下のように行う。すなわち、図示しないスピーカにて１ｋＨｚの純音を再生し、耳元にて騒音計で音圧レベルが８０［ｄＢ］となるようスピーカの再生音量あるいは距離を合わせる。次に、その状態でヘッドホン２０を装着し、内蔵したマイクロホン２２Ｌおよび２２Ｒに入力された信号をヘッドホン２０からそのまま聴取可能な状態にする。マイクロホン２２Ｌ及び２２Ｒに入力された信号が信号レベルで、例えば、−２０［ｄＢ］（このレベルを基準レベルとする）となるようマイクロホンアンプである増幅部１７の増幅率αｍｉｃを設定する。
【００５５】
次に、入力された１［ｋＨｚ］の純音の信号をヘッドホン２０の音出力部２１Ｌおよび２１Ｒにて再生し、耳元で８０［ｄＢ］となるよう図示せぬヘッドホンアンプである増幅部１６の増幅率αｈｐを調整する。このときの増幅率αｈｐおよび増幅率αｍｉｃを記憶しておく。増幅率αｈｐはヘッドホン２０の音楽再生に適したレベルに設定しておくとよい。
【００５６】
図７は、楽曲再生装置１０の校正を行う場合の処理の例を示すフローチャートである。ステップＳ１０１では、単一周波数の純音を図示せぬスピーカから出力する。例えば、１［ｋＨｚ］の純音が録音されたＣＤ（Ｃｏｍｐａｃｔ  Ｄｉｓｃ）を用意し、ＣＤの再生音を図示せぬスピーカにて再生する。
【００５７】
ステップＳ１０２では、図示せぬ騒音計を用いて、耳元で所定の音量（例えば、耳元にて騒音計で音圧レベルが８０［ｄＢ］）になるように設定する。このとき、ユーザが普段聴取する際の音量になるように設定する。例えば、耳元で８０［ｄＢ］となる位置に移動するか、ボリウムのつまみを調整して音量を設定する。
【００５８】
ステップＳ１０３では、ユーザがヘッドホン２０を装着し、録音状態にする。ステップＳ１０４では、所定の信号レベルが得られるように、マイクロホンアンプである増幅部１７の増幅率αｍｉｃを調整する。ここでは、ステップＳ１０５のように、例えば、信号レベルで「−２０［ｄＢ］」になるように調整する。所定の信号レベルが得られるまで、マイクロホンアンプである増幅部１７の増幅率αｍｉｃを調整する（ステップＳ１０５においてＮｏ、ステップＳ１０４）。
【００５９】
所定の信号レベルが得られたら（ステップＳ１０５においてＹｅｓ）、ステップＳ１０６において、マイクロホンアンプである増幅部１７の増幅率αｍｉｃを記憶する。
【００６０】
ステップＳ１０７では、所定の音圧レベルが得られるように、ヘッドホンアンプである増幅部１６の増幅率を調整する。所定の音圧レベルが得られるまで、ヘッドホンアンプである増幅部１６Ｌ、１６Ｒの増幅率を調整する（ステップＳ１０８においてＮｏ、ステップＳ１０７）。
【００６１】
騒音計を用いて、ステップＳ１０２と同じ音圧レベルすなわちヘッドホン２０の内側で８０［ｄＢ］が得られたら（ステップＳ１０８においてＹｅｓ）、ステップＳ１０９において、ヘッドホンアンプである増幅部１６の増幅率αｈｐを記憶する。
【００６２】
（測定モード）
測定部３０は、ヘッドホン２０をユーザの頭部に装着している状態で空間特性を取得する。具体的には、ユーザがヘッドホン２０を装着した状態で、ヘッドホンアンプである増幅部１６の増幅率αｈｐ、マイクロホンアンプである増幅部１７の増幅率αｍｉｃを設定し、スイッチ４５を端子１Ｌ，１Ｒに接続してインパルスをヘッドホン２０の音出力部２１Ｌおよび２１Ｒから出力し、応答を取得する。このようにして特性Ａ１が得られる。
【００６３】
図８は、楽曲再生装置の動作モードが測定モードである場合の処理の例を示すフローチャートである。図８の処理は、上述したステップＳ１２の処理に対応する。ステップＳ２０１では、信号処理部１５は、音漏れ測定を行うか否かを判定する。音漏れ測定を行う場合（ステップＳ２０１においてＹｅｓ）、ステップＳ２０２に進み、信号処理部１５は、スイッチ４５を端子１Ｌおよび１Ｒに接続する。
【００６４】
ステップＳ２０３では、信号生成部３１が生成する測定信号による音を音出力部から出力し、インパルス応答を測定する。ステップＳ２０４では、ステップＳ２０３における測定結果を特性Ａ１として特性記憶部５０に記憶する。
【００６５】
ステップＳ２０１において、音漏れ測定を行わない場合（ステップＳ２０１においてＮｏ）、ステップＳ２０５に進み、通常再生モードとなる。ステップＳ２０５では、信号処理部１５は、スイッチ４５を端子３Ｌおよび３Ｒに接続する。ステップＳ２０６では、オーディオ信号を再生する。
【００６６】
ステップＳ２０７では、信号処理部１５は、再生停止の要求が入力されたか否かを判定する。ステップＳ２０７において、再生停止の要求が入力された場合（ステップＳ２０７においてＹｅｓ）、信号処理部１５は再生を停止し、処理は終了となる。ステップＳ２０７において、再生停止の要求が入力されていない場合（ステップＳ２０７においてＮｏ）、ステップＳ２０６に戻り、信号の再生が継続して行われる。
【００６７】
（通常再生モード）
通常、楽曲を聴くときはスイッチ４５を端子３Ｌおよび３Ｒに接続する。これにより、記憶部１４から出力される楽曲データがヘッドホン２０の音出力部２１Ｌおよび２１Ｒから出力される。楽曲再生中に、音漏れモニタボタンを押すと、音漏れモニタモードになる。
【００６８】
（音漏れモニタモード）
音漏れモニタモードでは、畳込み処理部４４ａ、４４ｂがオーディオ信号のＬチャンネル、Ｒチャンネルそれぞれに特性Ａ１を畳込む処理を行う。音漏れモニタモードでは、スイッチ４５を端子２Ｌ，２Ｒに切り替え、特性Ａ１が畳込まれた楽曲信号がヘッドホン２０によって再生される。ヘッドホンを装着した状態で、そのヘッドホンからの漏れ音を聴くことができる。この時、ヘッドホンアンプである増幅部１６の音量を変更すると、特性Ａ１が畳込まれた楽曲信号の再生音量がそれに伴って変更され、再生音量に応じた音漏れ状態を確認することができる。
【００６９】
図９は、楽曲再生装置の動作モードが音漏れモニタモードである場合の処理の例を示すフローチャートである。ステップＳ３０１では、信号処理部１５は、音漏れモニタを行うか否かを判定する。音漏れモニタを行う場合（ステップＳ３０１においてＹｅｓ）、ステップＳ３０２に進み、信号処理部１５は、スイッチ４５を端子２Ｌおよび２Ｒに接続する。
【００７０】
ステップＳ３０３では、信号処理部１５は、オーディオ信号に特性Ａ１を畳込む処理を行い、ステップＳ３０４において特性Ａ１が畳込まれたオーディオ信号を再生する。ステップＳ３０５では、信号処理部１５は、再生停止の要求が入力されたか否かを判定する。ステップＳ３０５において、再生停止の要求が入力された場合（ステップＳ３０５においてＹｅｓ）、信号処理部１５は再生を停止し、処理は終了となる。ステップＳ３０５において、再生停止の要求が入力されていない場合（ステップＳ３０５においてＮｏ）、ステップＳ３０４に戻り、信号の再生が継続して行われる。
【００７１】
ステップＳ３０１において、音漏れモニタを行わない場合（ステップＳ３０１においてＮｏ）、ステップＳ２０５に進み、通常再生モードとなる。以降は図８を参照して説明したステップＳ２０５からＳ２０７の処理と同様である。
【００７２】
なお、ステップＳ３０１において、周囲音が変化したことを契機に、音漏れモニタを行うようにしてもよい。例えば、ユーザが乗車している鉄道車両がトンネルに入って周囲音が大きくなった場合や、時間調整のために長時間停車していて周囲音が小さくなった場合に音漏れモニタを行うようにしてもよい。これを実現するには、定期的に周囲音と所定閾値とを比較すればよい。
【００７３】
（外耳道の特性を除去）
図１０は、第２実施形態による楽曲再生装置の構成例を示す図である。図１１は、図１０中の信号処理部１５の機能の概略を示す図である。図１０において、本実施形態による楽曲再生装置は、図２の装置に、逆フィルタ計算部８１を追加した構成である。逆フィルタ計算部８１は、バス１８に接続され、制御部１３によって制御される。
【００７４】
図１１において、測定部３０は、図示しない耳元マイクロホンを用いて、図８を参照して説明した処理と同様に測定した結果を逆フィルタ計算部８１へ送る。逆フィルタ計算部８１は、耳元マイクロホンで測定した結果に基づいて外耳道補正特性Ａ２を計算する。逆フィルタ計算部８１が計算した外耳道補正特性Ａ２は、例えば、逆フィルタ計算部８１内に記憶される。なお、耳元マイクロホンは、ユーザの両耳の孔すなわち両耳の外耳道に挿入可能な形状を有している。耳元マイクロホンを用いることにより、ヘッドホンを装着しているユーザの両耳の外耳道の音響特性を取得できる。
【００７５】
第２実施形態では、畳込み処理部４４ａおよび４４ｂは、楽曲データを特性Ａ１に基づいて畳込み処理した後、さらに外耳道補正特性Ａ２に基づいて畳込み処理する。こうすることにより、ユーザの外耳道特性を除去する補正を行った後の音を出力することができる。ユーザの外耳道特性が除去された音を出力することにより、ユーザ以外の他者が聞いている漏れ音により近い音を聞くことができる。
【００７６】
図１２は、図１０および図１１に示す楽曲再生装置の動作を示すフローチャートである。図１２において、ステップＳ４０１では、信号処理部１５は、音漏れモニタを行うか否かを判定する。音漏れモニタを行う場合（ステップＳ４０１においてＹｅｓ）、ステップＳ４０２に進み、信号処理部１５は、スイッチ４５を端子２Ｌおよび２Ｒに接続する。
【００７７】
ステップＳ４０３では、信号処理部１５は、楽曲データであるオーディオ信号について、特性Ａ１を畳込む処理を行う。この畳込み処理によって得られる信号を信号Ｂ１とする。ステップＳ４０４では、信号処理部１５は、信号Ｂ１に外耳道補正特性Ａ２を畳込む処理を行う。
【００７８】
ステップＳ４０５では、信号処理部１５は、特性Ａ１および外耳道補正特性Ａ２が畳込まれた信号を再生する。ステップＳ４０６では、信号処理部１５は、再生停止の要求が入力されたか否かを判定する。ステップＳ４０６において、再生停止の要求が入力された場合（ステップＳ４０６においてＹｅｓ）、信号処理部１５は再生を停止し、処理は終了となる。ステップＳ４０６において、再生停止の要求が入力されていない場合（ステップＳ４０６においてＮｏ）、ステップＳ４０５に戻り、信号の再生が継続して行われる。
【００７９】
ステップＳ４０１において、音漏れモニタを行わない場合（ステップＳ４０１においてＮｏ）、ステップＳ２０５に進み、通常再生モードとなる。以降は図８を参照して説明したステップＳ２０５からＳ２０７の処理と同様である。
【００８０】
（騒音レベルの表示）
図１３は、第３実施形態による楽曲再生装置の構成例を示す図である。図１４は、図１３中の信号処理部１５の機能の概略を示す図である。図１３において、本実施形態による楽曲再生装置は、図２の装置に、騒音レベル算出部８２を追加した構成である。騒音レベル算出部８２は、バス１８に接続され、制御部１３によって制御される。また、騒音レベル算出部８２は、増幅部１６Ｌ、１６Ｒの出力信号を入力とする。
【００８１】
図１４において、騒音レベル算出部８２は、増幅部１６Ｌ、１６Ｒの出力信号に基づいて騒音レベルを算出する。騒音レベル算出部８２は、所定のフィルタ特性をかけることにより、騒音レベルを算出する。フィルタ特性には、例えば、「Ａ特性」を用いる。「Ａ特性」とは、騒音計による測定に使われる、人間の聴覚を考慮した周波数重み付け特性であり、ＪＩＳ（Japanese  Industrial  Standards）  Ｃ  １５０９‐１「普通騒音形」に定められている。
【００８２】
なお、騒音レベル算出部８２が算出した騒音レベルは、制御部１３によって表示部１１に表示してもよい。制御部１３による騒音レベルの表示は、数値で表示してもよいし、複数種類の閾値との比較結果による複数段階評価（例えば、５段階評価）で表示してもよい。色や図形を利用して騒音レベルを表示してもよい。
【００８３】
ここで、ヘッドホンアンプである増幅部１６の増幅率αｈｐ、マイクロホンアンプである増幅部１７の増幅率αｍｉｃで、信号レベルが−２０［ｄＢ］であるとき、騒音計にて音圧レベルが８０［ｄＢ］であれば、音楽信号が−２０［ｄＢ］の増減量で騒音レベルを計算できる。もしヘッドホンアンプである増幅部１６の増幅率がαｈｐでないときはその増減量を考慮して計算する。
【００８４】
図１５は、図１３および図１４に示す楽曲再生装置の動作を示すフローチャートである。図１５において、ステップＳ５０１では、信号処理部１５は、音漏れモニタを行うか否かを判定する。音漏れモニタを行う場合（ステップＳ５０１においてＹｅｓ）、ステップＳ５０２に進み、信号処理部１５は、スイッチ４５を端子２Ｌおよび２Ｒに接続する。
【００８５】
ステップＳ５０３では、信号処理部１５は、楽曲データであるオーディオ信号について、特性Ａ１を畳込む処理を行う。この畳込み処理によって得られる信号を信号Ｂ１とする。ステップＳ５０４では、信号処理部１５は、特性Ａ１が畳込まれた信号を再生する。
【００８６】
ステップＳ５０５では、信号処理部１５は、騒音レベルを表示するか否かを判定する。騒音レベルを表示する場合（ステップＳ５０５においてＹｅｓ）、ステップＳ５０６に進み、信号処理部１５は、信号Ｂ１に「Ａ特性」を畳込む処理を行う。この畳込み処理によって得られる信号を信号Ｃ１とする。ステップＳ５０７では、信号処理部１５は、信号Ｃ１について騒音レベルを計算する。例えば、１［ｋＨｚ］の信号が信号レベル−２０［ｄＢ］のとき音圧レベル８０［ｄＢ］である場合、ヘッドホンアンプである増幅部１６の増幅率がαｐのとき、信号Ｃ１の振幅に増幅率αｐ／αｈｐをかけ、その信号レベルを求め、基準レベルである−２０［ｄＢ］との差を８０［ｄＢ］に加算する。
【００８７】
ステップＳ５０８では、計算された騒音レベルを、制御部１３が表示部１１に表示する。その後、ステップＳ５０９において、信号処理部１５は、再生を停止する要求があるか否かを判定する。再生を停止する場合（ステップＳ５０９においてＹｅｓ）、処理は終了となる。
【００８８】
ステップＳ５０９において、再生を停止する要求がない場合（ステップＳ５０９においてＮｏ）、ステップＳ５０４に戻り、信号処理部１５は、再生を続ける。ステップＳ５０５において、騒音レベルを表示しない場合（ステップＳ５０５においてＮｏ）、ステップＳ５０９に進む。ステップＳ５０９では、上記と同様の処理が行われる。
【００８９】
ステップＳ５０１において、音漏れモニタを行わない場合（ステップＳ５０１においてＮｏ）、ステップＳ２０５に進み、通常再生モードとなる。以降は図８を参照して説明したステップＳ２０５からＳ２０７の処理と同様である。
【００９０】
（距離を考慮した騒音レベルの表示）
図１６は、第４実施形態による楽曲再生装置の構成例を示す図である。図１７は、図１６中の信号処理部１５の機能の概略を示す図である。図１６において、本実施形態による楽曲再生装置は、図２の装置に、減衰部８３ａおよび８３ｂを追加した構成である。減衰部８３ａおよび８３ｂは、畳込み処理後の信号を減衰させる。
【００９１】
図１７において、減衰部８３ａ、８３ｂは、畳込み処理部４４ａ、４４ｂに対応して設けられている。減衰部８３ａ、８３ｂは、畳込み処理部４４ａ、４４ｂの出力信号を入力とし、入力される距離データ８３０に基づく減衰量で減衰させる。これにより、ユーザの位置から離れた位置における漏れ音を聞くことができる。距離データ８３０は、自装置すなわち楽曲再生装置１０から離れた位置までの距離を示すデータである。距離データ８３０は、例えば、ユーザが入力部１２を操作して入力する。この場合、入力部１２は距離入力部としての機能を有する。なお、漏れ音を出力すると共に、制御部１３は、表示部１１に距離の値を表示してもよい。
【００９２】
ヘッドホンを装着しているユーザが、自分から離れたところの音漏れ具合を確認する場合には、減衰部８３ａ、８３ｂが、入力部１２から入力された距離データ８３０の値ｒを用いて、例えば、下記の式（１）に基づいて減衰量βを算出する。
β＝２０・ｌｏｇ  ｒ［ｄＢ］…（１）
式（１）は、距離データ８３０の値ｒが２倍になると音圧レベルが６［ｄＢ］低下することを示す。式（１）に基づいて減衰部８３ａ、８３ｂが減衰量βを算出し、畳込み処理部４４ａおよび４４ｂの出力の振幅を減衰する。
【００９３】
図１８は、図１６および図１７に示す楽曲再生装置の動作を示すフローチャートである。図１８において、ステップＳ６０１からステップＳ６０４までの処理は、図１５のステップＳ５０１からステップＳ５０４までの処理と同様である。
【００９４】
ステップＳ６０５では、信号処理部１５は、距離データ８３０の入力があるか否かを判定する。距離データ８３０の入力がある場合（ステップＳ６０５においてＹｅｓ）、ステップＳ６０６に進み、信号処理部１５は、上記の式（１）に基づいて減衰量βを算出する。ステップＳ６０７では、信号処理部１５は、信号Ｂ１を減衰量βだけ減衰させる。その後、信号処理部１５は、ステップＳ６０４に戻る。
【００９５】
ステップＳ６０５において、距離データ８３０の入力がない場合（ステップＳ６０５においてＮｏ）、ステップＳ６０８において、信号処理部１５は、再生を停止する要求があるか否かを判定する。再生を停止する場合（ステップＳ６０８においてＹｅｓ）、処理は終了となる。
【００９６】
ステップＳ６０８において、再生を停止する要求がない場合（ステップＳ６０８においてＮｏ）、ステップＳ６０４に戻り、信号処理部１５は、再生を続ける。ステップＳ６０１において、音漏れモニタを行わない場合（ステップＳ６０１においてＮｏ）、ステップＳ２０５に進み、通常再生モードとなる。以降は図８を参照して説明したステップＳ２０５からＳ２０７の処理と同様である。
【００９７】
なお、以上は、入力された距離データ８３０の値に応じて減衰させた音を出力する場合について説明したが、漏れ音を何［ｄＢ］下げるためにはもしくは漏れ音で迷惑をかけないためにはどれくらいの距離だけ離れればよいのかを表示部１１に表示するようにしてもよい。
【００９８】
（周囲音のモニタ）
漏れ音と共に、ユーザの周囲音をモニタするようにしてもよい。図１９は、第５実施形態による楽曲再生装置の構成例を示す図である。図２０は、図１９中の信号処理部１５の機能の概略を示す図である。図１９において、本実施形態による楽曲再生装置は、図２の装置に、レベル制御部８４と、ミキサ８５ａおよび８５ｂを追加した構成である。測定部３０は、マイクロホン２２Ｌ、２２Ｒによって入力される信号すなわち周囲音の信号（以下、周囲音信号と呼ぶ）を取得し、バス１８を介してレベル制御部８４に入力する。レベル制御部８４は、周囲音信号に対応する信号Ｄ１を出力し、ミキサ８５ａおよび８５ｂに入力する。楽曲再生装置の音量が変化した場合、その変化に応じて、レベル制御部８４は信号Ｄ１の減衰または増幅を行い、信号Ｄ１のレベルを制御する。ミキサ８５ａ、８５ｂは、畳込み処理部４４ａ、４４ｂに対応して設けられている。ミキサ８５ａ、８５ｂは、対応する畳込み処理部４４ａ、４４ｂの出力信号に、レベル制御部８４の出力を加算してレベルを制御する。
【００９９】
ユーザの周囲音をモニタするようにした場合、ユーザが楽曲再生装置の音量を変更すると周囲音の再生音量も変化してしまう。これでは第三者が聞こえている周囲音を正確にモニタすることができない。そこで、本実施形態では、ユーザが楽曲再生装置の音量を変更した場合、その変更した量に応じて、レベル制御部８４が周囲音信号に対応する信号Ｄ１のレベルを制御する。すなわち、ユーザが音量を上げた場合はレベル制御部８４が周囲音信号に対応する信号Ｄ１のレベルを下げ、音量を下げた場合はレベル制御部８４が周囲音信号に対応する信号Ｄ１のレベルを上げる。このようにレベルが制御された周囲音信号に対応する信号Ｄ１をミキサ８５ａ、８５ｂによって、畳込み処理部４４ａ、４４ｂの出力信号に加算する。
【０１００】
図２１は、図１９および図２０に示す楽曲再生装置の動作を示すフローチャートである。図２１において、ステップＳ７０１からステップＳ７０３までの処理は、図１５のステップＳ５０１からステップＳ５０３までの処理と同様である。
【０１０１】
ステップＳ７０４では、信号処理部１５は、周囲音をモニタするか否かを判定する。周囲音をモニタする場合（ステップＳ７０４においてＹｅｓ）、ステップＳ７０５に進み、信号処理部１５は、ヘッドホンアンプである増幅部１６の増幅率αｐを取得する。ステップＳ７０６では、信号処理部１５は、マイクロホンの入力信号を（αｈｐ／αｐ）倍する。この処理によって信号Ｄ１が得られる。
【０１０２】
ステップＳ７０７では、信号Ｂ１と信号Ｄ１とを加算する。ステップＳ７０８では、加算された信号Ｂ１および信号Ｄ１を再生する。ステップＳ７０９において、再生を停止する要求がある場合（ステップＳ７０９においてＹｅｓ）、信号処理部１５は再生を停止し、処理は終了となる。ステップＳ７０９において、再生を停止する要求がない場合（ステップＳ７０９においてＮｏ）、ステップＳ７０８に戻り、信号処理部１５は、再生を続ける。
【０１０３】
ステップＳ７０１において、音漏れモニタを行わない場合（ステップＳ７０１においてＮｏ）、ステップＳ２０５に進み、通常再生モードとなる。以降は図８を参照して説明したステップＳ２０５からＳ２０７の処理と同様である。なお、ステップＳ７０１においても、ステップＳ３０１同様、周囲音が変化したことを契機に、音漏れモニタを行うようにしてもよい。
【０１０４】
ステップＳ７０４において、周囲音をモニタしない場合（ステップＳ７０４においてＮｏ）、ステップＳ７１０に進む。ステップＳ７１０では、信号Ｄ１を加算していない信号Ｂ１を再生する。ステップＳ７１１において、再生を停止する要求がある場合（ステップＳ７１１においてＹｅｓ）、信号処理部１５は再生を停止し、処理は終了となる。ステップＳ７１１において、再生を停止する要求がない場合（ステップＳ７１１においてＮｏ）、ステップＳ７１０に戻り、信号処理部１５は、再生を続ける。
【０１０５】
（変形例１）
図２２は、楽曲再生装置の変形例１を示す図である。楽曲再生装置１０ａがステレオ再生ではなく、モノラル再生を行う場合、ヘッドホン２０ａは、例えば、単一の音出力部２１と、単一のマイクロホン２２と、スイッチ２３とを有する。
【０１０６】
本例の楽曲再生装置１０ａは、図１に示す２チャンネル分の増幅部１６Ｌおよび増幅部１６Ｒ、増幅部１７Ｌおよび増幅部１７Ｒを、それぞれ１チャンネル分だけ、すなわち増幅部１６および増幅部１７を備える。
【０１０７】
図２２に示す変形例の楽曲再生装置１０ａにおいても、特性Ａ１に基づいて処理した楽曲を再生することにより、ヘッドホン２０ａのユーザが、そのヘッドホン２０ａを装着したままでヘッドホン２０ａからの音漏れを確認することができる。
【０１０８】
（変形例２）
図２に示す楽曲再生装置１０の各部を、ユーザが頭部に装着するヘッドホンに組込んでもよい。このような場合でも特性Ａ１に基づいて処理した楽曲を再生することにより、ヘッドホンのユーザが、そのヘッドホンを装着したままで、そのヘッドホンからの音漏れを確認することができる。
【０１０９】
（変形例３）
図２に示す楽曲再生装置の機能の一部を他の装置によって実現してもよい。図２３は、図２に示す楽曲再生装置１０の一部分を、スマートホン（ｓｍａｒｔｐｈｏｎｅ）１００によって実現する場合を示す図である。スマートホン１００に、アプリケーションプログラムをインストールしておき、それを実行することにより、上記の各処理を実現する。
【０１１０】
（変形例４）
上記は、図３を参照してステレオ型のヘッドホン２０について説明したが、ステレオ型のイヤホンであってもよい。また、モノラル型のヘッドホンであってもよいし、モノラル型のイヤホンであってもよい。
【０１１１】
ヘッドホンの筐体にマイクロホンを設けることができれば、耳介に引っ掛けるオンイヤー型、耳介に乗せるオープンエアー型、耳介を覆う密閉型、耳孔に挿入するカナル型、のいずれであってもよい。
【０１１２】
ヘッドホン２０は、ノイズキャンセリング機能を有するものであってもよい。ノイズキャンセリング機能を有するヘッドホンは、周囲の騒音を拾うためのマイクロホンを備えているので、そのマイクロホンを、特性Ａ１を取得するためのマイクロホンとしても用いることができる。これにより、ヘッドホンに新たにマイクロホンを追加して設ける必要はない。また、特性Ａ１を測定する際にノイズキャンセリング機能をオフにしてもよいし、ノイズキャンセリング機能をオンにしたままで特性Ａ１を測定してもよい。
【０１１３】
（変形例５）
楽曲データ全体の音量を調整するのではなく、楽曲データによる音域のうち、特定の周波数部分を調整するための音量調整部を追加してもよい。例えば、楽曲のうち高い周波数部分が音漏れする傾向がある場合は、その周波数部分だけの音量を調整する音量調整部を追加すればよい。
【０１１４】
（その他の変形例）
表示部１１において、周波数領域ごとのレベル調整量を示すグラフィックイコライザを表示してもよい。そして、高周波数領域用の音量調整部を設けておき、高周波数領域のみ音量調整できるようにしてもよい。
【０１１５】
音漏れモニタモードにおいて音漏れ具合を確認したユーザが、ここまでなら上げても大丈夫という再生音量に設定した場合に、その音量を記憶しておき、再生中にその音量を超えてしまったら警告音やメッセージでユーザに通知するようにしてもよい。
【０１１６】
スピーカユニットは接続を変えればマイクロホンとして機能させることもできる。そこで、ステレオ型のヘッドホンにおいて、２つの音出力部の一方から音を出力し、他方をマイクロホンとして機能させれば、ヘッドホンにマイクロホンを設ける必要がない。振動センサを設けておき、鉄道車両特有の振動を検出しているときはユーザが電車に乗っていると判定し、動作モードを音漏れモニタモードに設定してもよい。
【０１１７】
（まとめ）
上記の楽曲再生装置によれば、音漏れモニタモードにおいて、聴取しているユーザ自身が音漏れ具合を確認することができるので、ユーザは音量を適切に設定することができる。したがって、実際の音漏れと同じ音をユーザ自身がその場で聞くことによって、その場の環境や使用状況に応じた適切な音量調整が可能となる。例えば、電車内では音漏れした音は走行ノイズ等によって低周波数領域の音がマスキングされる場合があるため、ユーザが聞いた結果、高周波数領域の音が気にならなければそのままの音量で問題がないと判断できる。また、例えば、図書館内は静かなので周波数領域全体について音量を下げればよいと判断できる。
【０１１８】
（楽曲再生方法）
上記楽曲再生装置により、以下の楽曲再生方法が実現される。すなわち、空間特性を測定するための測定信号を生成する工程と、音出力部をユーザが装着している状態で前記測定信号に対応する音を音出力部から出力して周囲の空間を介して得られる空間特性である第１特性を取得する工程と、前記第１特性に基づいて処理した楽曲を再生する再生部工程と、を有する楽曲再生方法が実現される。この楽曲再生方法によれば、ユーザは、ヘッドホンを装着した状態で、そのヘッドホンを装着した状態での音漏れを確認できる。
【０１１９】
（楽曲再生プログラム）
上記楽曲再生装置は、コンピュータを、空間特性を測定するための測定信号を生成する信号生成部、音出力部をユーザが装着している状態で前記測定信号に対応する音を前記音出力部から出力して周囲の空間を介して得られる空間特性である第１特性を取得する特性取得部、前記第１特性に基づいて処理した楽曲を再生する再生部、として機能させるための楽曲再生プログラムを利用して実現してもよい。この楽曲再生プログラムを利用すれば、ユーザは、ヘッドホンを装着した状態で、そのヘッドホンを装着した状態での音漏れを確認できる。
【符号の説明】
【０１２０】
１０、１０ａ  楽曲再生装置
１１  表示部
１２  入力部
１３  制御部
１４  記憶部
１５  信号処理部
１６、１６Ｌ、１６Ｒ、１７、１７Ｌ、１７Ｒ  増幅部
１８  バス
２０、２０ａ  ヘッドホン
２１、２１Ｌ、２１Ｒ  音出力部
２２、２２Ｌ、２２Ｒ  マイクロホン
２３、４２ａ、４２ｂ、４５  スイッチ
３０  測定部
３１  信号生成部
３２  特性取得部
４０  再生部
４１  モード制御部
４３ａ、４３ｂ  再生処理部
４４ａ、４４ｂ  畳込み処理部
５０  特性記憶部
６１Ｌ、６１Ｒ  Ｄ／Ａ変換部
７１Ｌ、７１Ｒ  Ａ／Ｄ変換部
８０  モード記憶部
８１  逆フィルタ計算部
８２  騒音レベル算出部
８３ａ、８３ｂ  減衰部
８４  レベル制御部
８５ａ、８５ｂ  ミキサ
１００  スマートホン
【図１】
2017175442.tif 000003
【図２】
2017175442.tif 000004
【図３】
2017175442.tif 000005
【図４】
2017175442.tif 000006
【図５】
2017175442.tif 000007
【図６】
2017175442.tif 000008
【図７】
2017175442.tif 000009
【図８】
2017175442.tif 000010
【図９】
2017175442.tif 000011
【図１０】
2017175442.tif 000012
【図１１】
2017175442.tif 000013
【図１２】
2017175442.tif 000014
【図１３】
2017175442.tif 000015
【図１４】
2017175442.tif 000016
【図１５】
2017175442.tif 000017
【図１６】
2017175442.tif 000018
【図１７】
2017175442.tif 000019
【図１８】
2017175442.tif 000020
【図１９】
2017175442.tif 000021
【図２０】
2017175442.tif 000022
【図２１】
2017175442.tif 000023
【図２２】
2017175442.tif 000024
【図２３】
2017175442.tif 000025